(57)【要約】【課題】各ユーザが所望する外部入力からの表示に容易に切り替えることができるテレビジョン受像機を提供する。【解決手段】テレビジョン受像機１００は、入力される各種データに対して所定の信号処理を行って映像・音声を出力する装置本体１と、ユーザが各種操作指示を入力して装置本体１を遠隔操作するためのリモートコントローラ２等を備えている。リモコン２は、キー操作部２１と指紋認識部２２とを備え、テレビジョン受像機１００の装置本体１を遠隔操作するとともに、テレビジョン受像機1を使用するユーザを個人レベルで識別する機能を備えている。ＣＰＵ１６１は、入力端子部７に備わる外部入力端子７１が外部入力を行う外部入力端子７１として選択されていた時間を、計時部１７からの出力信号に基づいて計測し、その累積時間が長い順に並べ替え、順番格納メモリ１６２２ａ内に記憶させる。【選択図】図８
2008311914.tif 000002
【特許請求の範囲】
【請求項１】
テレビジョン放送信号を受信する受信手段と、
前記受信手段が受信したテレビジョン放送信号に基づく映像を表示する表示手段と、
前記表示手段に映像を表示させる外部機器からの映像信号を入力するための複数の外部入力端子と、
前記表示手段に表示する映像を、前記受信手段により受信されたテレビジョン放送信号又は前記複数の外部入力端子のうち何れか一の外部入力端子に接続された外部機器から入力される映像信号に基づく映像に選択的に切り替えるための入力操作を受け付ける表示切替入力手段と、を備えたテレビジョン受像機において、
当該テレビジョン受像機を使用するユーザを識別する識別手段と、
外部入力端子を介して映像信号が入力された時間を、各外部入力端子毎に個別に累積して計測する計測手段と、
前記計測手段により計測された各外部入力端子ごとの累積時間を、前記識別手段により識別された各ユーザごとに記憶する記憶手段と、
当該テレビジョン受像機を使用中のユーザが前記表示切替入力手段を操作した際に、前記記憶手段に記憶された当該ユーザに対応する前記各外部入力端子ごとの累積時間に基づき該累積時間の最も長い外部入力端子からの映像信号が入力されるように切り替えて表示させる切り替え制御手段と、
を備えることを特徴とするテレビジョン受像機。
【請求項２】
請求項１に記載のテレビジョン受像機において、
前記切り替え制御手段は、押下操作されるたびに、前記記憶手段に記憶された累積時間の長いものから順に切り替えることを特徴とするテレビジョン受像機。
【請求項３】
請求項１又は２に記載のテレビジョン受像機において、
前記表示切替入力手段及び前記識別手段を搭載し前記表示手段の表示を遠隔操作する遠隔操作手段を備えることを特徴とするテレビジョン受像機。
【請求項４】
テレビジョン放送信号を受信する受信手段と、
前記受信手段が受信したテレビジョン放送信号に基づく映像を表示する表示手段と、
前記表示手段に映像を表示させる外部機器からの映像信号を入力するための複数の外部入力端子と、
前記表示手段に表示する映像を、前記受信手段により受信されたテレビジョン放送信号又は前記複数の外部入力端子のうち何れか一の外部入力端子に接続された外部機器から入力される映像信号に基づく映像に選択的に切り替えるための入力操作を受け付ける表示切替入力手段と、を備えたテレビジョン受像機において、
当該テレビジョン受像機を使用するユーザを識別する識別手段と、
外部入力端子を介して映像信号が入力された時間を、各外部入力端子毎に個別に累積して計測する計測手段と、
前記計測手段により計測された各外部入力端子ごとの累積時間を、前記識別手段により識別された各ユーザごとに記憶する記憶手段と、
当該テレビジョン受像機を使用中のユーザが前記表示切替入力手段を操作した際に、前記記憶手段に記憶された当該ユーザに対応する前記各外部入力端子ごとの累積時間に基づき該累積時間の最も長い外部入力端子からの映像信号が入力されるように切り替えて表示させる切り替え制御手段と、
前記表示切替入力手段及び前記識別手段を搭載し前記表示手段の表示を遠隔操作する遠隔操作手段と、を備え、
前記切り替え制御手段は、押下操作されるたびに、前記記憶手段に記憶された累積時間の長いものから順に切り替えることを特徴とするテレビジョン受像機。
【発明の詳細な説明】
【技術分野】
【０００１】
本発明は、テレビジョン受像機に関し、特に、複数の外部入力を有するテレビジョン受像機に関する。
【背景技術】
【０００２】
近年、テレビジョン受像機の外部入力端子の種類及びその数の増加に伴い、家族内においても各ユーザが所望する外部入力端子がユーザごとに異なる場合が生じてきている。例えば、ビデオやＤＶＤ等の視聴を好むユーザはビデオ機器等が接続された外部入力に切り替える頻度が高く、また、例えば、ゲームを好むユーザであればゲーム機器が接続された外部入力に切り替える頻度が高くなる。一方、従来のテレビジョン受像機の表示部を所望する入力からの表示に切り替える場合、例えば、リモコン装置等に設けられた入力切り替えボタンを押下する度に、例えば、外部入力１、外部入力２、ゲーム…等のように、切り替わる外部入力端子の順番が各テレビジョン受像機ごとに予め定められているのが一般的である。このため、テレビジョン受像機を使用するユーザが交代した場合、自分が所望する外部入力に切り替わるまでに何度も入力切り替えボタンを押下しなければならなかった。
【０００３】
上記問題に鑑みて、例えば、外部入力端子の選択順序の履歴をメモリ手段に残し、その履歴を用いて、映像機器の状態を入力切り替え手段の選択処理が実行された時点よりも前の状態に戻すように構成したテレビジョン受像機が知られている（例えば、特許文献１参照）。また、操作終了信号が操作信号受信手段に入力された場合に、設定記憶手段の設定と入力記憶手段の記録内容とに基づき、戻り先入力系統の映像（即ち、以前に表示された映像）で、入力信号が検出可能な入力映像か、内蔵チューナの映像に切り替える構成としたテレビジョン受像機も知られている（例えば、特許文献２参照）。また、入力切り替えに連動して、選択された入力に接続される外部機器を制御手段が自動的に制御する構成としたテレビジョン受像機も知られている（例えば、特許文献３参照）。また、入力端子からの信号を切り替える切り替え手段と、検出手段の出力により切り替え手段を制御する演算手段とを備え、入力端子の使用状況に応じて入力信号を選択する構成としたテレビジョン受像機も知られている（例えば、特許文献４参照）。
【特許文献１】特開２００７−０６７８６４号公報
【特許文献２】特開２００６−１１５１０５号公報
【特許文献３】特開２００２−３５４３５１号公報
【特許文献４】特開２０００−０５９７０２号公報
【発明の開示】
【発明が解決しようとする課題】
【０００４】
しかしながら、上記特許文献１〜４に開示されるテレビジョン受像機は、何れもユーザを個人レベルで識別することはできず、例えば、前回使用したユーザとは異なるユーザが入力を切り替える際に、所望する外部入力からの表示画面に切り替わるまでに、入力切替ボタンを何度も押下しなければならず、手間がかかってストレスを感じることがあるという問題があった。
【０００５】
本発明の課題は、各ユーザが所望する外部入力からの表示に容易に切り替えることができるテレビジョン受像機を提供することにある。
【課題を解決するための手段】
【０００６】
上記課題を解決するために、請求項１に記載の発明は、
テレビジョン放送信号を受信する受信手段と、
前記受信手段が受信したテレビジョン放送信号に基づく映像を表示する表示手段と、
前記表示手段に映像を表示させる外部機器からの映像信号を入力するための複数の外部入力端子と、
前記表示手段に表示する映像を、前記受信手段により受信されたテレビジョン放送信号又は前記複数の外部入力端子のうち何れか一の外部入力端子に接続された外部機器から入力される映像信号に基づく映像に選択的に切り替えるための入力操作を受け付ける表示切替入力手段と、を備えたテレビジョン受像機において、
当該テレビジョン受像機を使用するユーザを識別する識別手段と、
外部入力端子を介して映像信号が入力された時間を、各外部入力端子毎に個別に累積して計測する計測手段と、
前記計測手段により計測された各外部入力端子ごとの累積時間を、前記識別手段により識別された各ユーザごとに記憶する記憶手段と、
当該テレビジョン受像機を使用中のユーザが前記表示切替入力手段を操作した際に、前記記憶手段に記憶された当該ユーザに対応する前記各外部入力端子ごとの累積時間に基づき該累積時間の最も長い外部入力端子からの映像信号が入力されるように切り替えて表示させる切り替え制御手段と、
を備えることを特徴とする。
【０００７】
請求項２に記載の発明は、請求項１に記載のテレビジョン受像機において、
前記切り替え制御手段は、押下操作されるたびに、前記記憶手段に記憶された累積時間の長いものから順に切り替えることを特徴とする。
【０００８】
請求項３に記載の発明は、請求項１又は２に記載のテレビジョン受像機において、
前記表示切替入力手段及び前記識別手段を搭載し前記表示手段の表示を遠隔操作する遠隔操作手段を備えることを特徴とする。
【０００９】
請求項４に記載の発明は、
テレビジョン放送信号を受信する受信手段と、
前記受信手段が受信したテレビジョン放送信号に基づく映像を表示する表示手段と、
前記表示手段に映像を表示させる外部機器からの映像信号を入力するための複数の外部入力端子と、
前記表示手段に表示する映像を、前記受信手段により受信されたテレビジョン放送信号又は前記複数の外部入力端子のうち何れか一の外部入力端子に接続された外部機器から入力される映像信号に基づく映像に選択的に切り替えるための入力操作を受け付ける表示切替入力手段と、を備えたテレビジョン受像機において、
当該テレビジョン受像機を使用するユーザを識別する識別手段と、
外部入力端子を介して映像信号が入力された時間を、各外部入力端子毎に個別に累積して計測する計測手段と、
前記計測手段により計測された各外部入力端子ごとの累積時間を、前記識別手段により識別された各ユーザごとに記憶する記憶手段と、
当該テレビジョン受像機を使用中のユーザが前記表示切替入力手段を操作した際に、前記記憶手段に記憶された当該ユーザに対応する前記各外部入力端子ごとの累積時間に基づき該累積時間の最も長い外部入力端子からの映像信号が入力されるように切り替えて表示させる切り替え制御手段と、
前記表示切替入力手段及び前記識別手段を搭載し前記表示手段の表示を遠隔操作する遠隔操作手段と、を備え、
前記切り替え制御手段は、押下操作されるたびに、前記記憶手段に記憶された累積時間の長いものから順に切り替えることを特徴とする。
【発明の効果】
【００１０】
本発明によれば、識別手段を有することにより、テレビジョン受像機を使用するユーザを識別することができる。また、計測手段により、外部入力端子を介して映像信号が入力された時間を、各外部入力端子毎に個別に累積して計測することができる。そして、計測手段により計測された各外部入力端子ごとの累積時間を、識別手段により識別された各ユーザごとに記憶手段に記憶させることができる。さらに、切り替え制御手段により、テレビジョン受像機を使用中のユーザが表示切替入力手段を操作した際に、記憶手段に記憶された当該ユーザに対応する各外部入力端子ごとの累積時間に基づき累積時間の長い外部入力端子からの映像信号が入力されるように切り替えて表示手段に表示させることができる。従って、表示手段の表示を、各ユーザが所望する外部入力端子からの表示に容易に切り替えることができ、当該切り替える際の操作性の向上を図ることができる。
また、これにより、表示手段の表示を各ユーザが所望する外部入力に切り替えるまでに、表示切替入力手段を操作する回数を低減することができる。従って、各ユーザはストレスを感じることなく表示手段の表示を自らが所望する外部入力からの表示に容易に切り替えることができる。
【発明を実施するための最良の形態】
【００１１】
以下、図面を参照しながら、本発明を実施するための最良の形態を詳細に説明する。本実施の形態では、複数の外部入力端子を具備するテレビジョン受像機を例に説明を行う。ただし、発明の範囲を、以下の説明及び図示例に限定するものではない。
【００１２】
まず、本実施形態に係るテレビジョン受像機１００の全体構成について説明する。図１は、本実施形態に係るテレビジョン受像機１００の全体構成を例示する概略図であり、図２は、本実施形態に係るテレビジョン受像機１００の要部構成を示すブロック図である。
図１、図２に示すように、テレビジョン受像機１００は、例えば、入力される各種データに対して所定の信号処理を行って映像・音声を出力する装置本体１と、ユーザが各種操作指示を入力して装置本体１を遠隔操作するためのリモートコントローラ２等を備えて構成されている。そして、装置本体１には、当該装置本体１に対して各種データを入力するための外部機器２００が接続ケーブルＣにより接続されている。なお、外部機器２００は、例えば、ＤＶＤ（Digital Versatile Disc）プレーヤ・レコーダや、Ｄ−ＶＨＳ（Data Video Home System）ビデオデッキ、パソコン（Personal Computer）、ゲーム機等である。
【００１３】
次に、リモートコントローラ（以下、リモコンと称する）２の構成について説明する。
図２に示すように、リモコン２は、例えば、キー操作部２１と指紋認識部２２とを備えており、テレビジョン受像機１００の装置本体１を遠隔操作するとともに、テレビジョン受像機1を使用するユーザを個人レベルで識別する機能を備えている。具体的には、キー操作部２１において、ユーザによりキーの押下操作がなされると、押下操作されたキーに対応する赤外線等の入力操作信号が出力され、当該入力操作信号が装置本体１に設けられたリモコン信号受光部１５を介して制御部１６に出力される。
【００１４】
キー操作部２１は、例えば、図２に示すように、映像表示部１３のディスプレイ１３ａに各種メニュー画面を表示させるためのメニューキー２１ａと、複数の外部入力端子７１のうちから外部入力を行う外部入力端子７１を選択するための入力切替キー２１ｂと、メニュー画面等において所望の項目を選択するためのアップ／ダウンキー２１ｃと、メニュー画面において選択した項目等を確定するための決定キー２１ｄと、等を備えており、更に、図示は省略するが、テレビジョン受像機１００の電源をオン／オフするための電源キー、チャンネル番号の指示入力等を行うための数字（０〜９）が割り当てられたテンキー、ボリュームキー等を備えている。
【００１５】
入力切替キー２１ｂは、ディスプレイ１３ａに表示する映像を、後述するアンテナ３ａ〜３ｃ及びチューナ４ａ〜４ｃにより受信されたテレビジョン放送信号、又は、複数の外部入力端子のうち何れか一の外部入力端子に接続された外部機器２００から入力される映像信号に基づく映像に選択的に切り替えるための入力操作をユーザから受け付ける本発明の表示切替入力手段として機能する。
【００１６】
指紋認識部２２は、ユーザの指紋を検出するためのセンサーを備え、例えば、家庭（家族）内等においてテレビジョン受像機１００を使用する複数のユーザの指紋を予め記憶させて登録しておくことで、センサーにより検出したユーザの指紋と予め登録された指紋とを照合して当該リモコン２を操作するユーザを個人レベルで識別する機能を備えている。つまり、指紋認識部２２は、テレビジョン受像機１００を使用するユーザを識別する本発明の識別手段として機能する。
そして、リモコン２は、表示切替入力手段としての入力切替キー２１ｂと識別手段としての指紋認識部２２とを搭載し、ディスプレイ１３ａの表示を遠隔操作する本発明の遠隔操作手段として機能する。
なお、上記のようなキー操作部２１及び指紋認識部２２を、装置本体１の前面部等に設ける構成としても良い。
【００１７】
次に、図２を参照しながら、装置本体１の構成について詳しく説明する。
装置本体１は、テレビジョン放送信号（以下、放送信号という）を受信するＢＳ／ＣＳアンテナ３ａ・地上デジタルアンテナ３ｂ・地上アナログアンテナ３ｃ（受信手段）と、アンテナ３ａ〜３ｃにが受信した放送信号の中から所定の周波数の放送信号を選局して受信するためのＢＳ／ＣＳチューナ４ａ・地上デジタルチューナ４ｂ・地上アナログチューナ４ｃ（受信手段）と、入力される放送信号を復調する復調部５と、入力されるデータに対して所定のデコーダ処理を行うデコーダ部６と、映像表示部１３（後述）に映像を表示させる外部機器２００からの映像信号を入力するための複数の外部入力端子７１、・・・を備える入力端子部７と、外部機器２００が接続される外部入力端子７１を検出するための接続検出部８と、入力されるデータを切替接続するＡＶスイッチ部９と、映像データに対して所定の映像処理を行う映像処理部１０と、音声データに対して所定の音声処理を行う音声処理部１１と、映像表示部１３に入力される映像データに対してＯＳＤデータを付加するＯＳＤ（On Screen Display）回路１２と、映像処理部１０から入力される映像データに基づいて映像を表示する映像表示部１３と、音声処理部１１から入力される音声データに基づいて音声を出力する音声出力部１４と、リモコン２から送信される入力操作信号を受信するとともに、受信した入力操作信号を制御部１６に出力するリモコン信号受光部１５と、装置本体１の各部を統括制御する制御部１６等を備えて構成されている。
【００１８】
ＢＳ／ＣＳアンテナ３ａ、地上デジタルアンテナ３ｂ、地上アナログアンテナ３ｃのそれぞれは、例えば、屋外において所定の方向に向けて配置されており、図示しないテレビジョン放送局から発信される放送信号を受信するものであり、後述する各チューナ４ａ〜４ｃとともに本発明の受信手段として機能する。
【００１９】
ＢＳ／ＣＳチューナ４ａ、地上デジタルチューナ４ｂ、地上アナログチューナ４ｃのそれぞれは、アンテナ３ａ〜３ｃにより受信される放送信号の中から所定の周波数の放送信号を選局して受信するものであり、上記各アンテナ３ａ〜３ｃとともに本発明の受信手段として機能する。具体的には、各チューナ４ａ〜４ｃは、制御部１６による制御に基づいて、所定のチャンネルに対応する特定周波数帯の放送信号を受信する。そして、受信した特定周波数帯の放送信号を所定の中間周波数を有する中間周波信号（IF信号）に変換して、復調部５に出力する。
【００２０】
復調部５は、例えば，図示は省略するが、デジタル信号復調部及びアナログ信号復調部を備えている。デジタル信号復調部は、制御部１６による制御に従って、ＢＳ／ＣＳチューナ４ａ又は地上デジタルチューナ４ｂから入力されたデジタルＩＦ信号に対して増幅、復調、誤り訂正等の処理を行い、トランスポートストリーム（TS）を生成してデコーダ部６に出力する。また、アナログ信号復調部は、地上アナログチューナ４ｃから入力されたアナログＩＦ信号に対して増幅、復調等の処理を行い、映像データ及び音声データを生成する。
【００２１】
デコーダ部６は、例えば、図示しないＴＳデコーダ、ビデオデコーダ、オーディオデコーダを備え、ＴＳデコーダにおいて、復調部５から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離し、当該ビデオストリームをビデオデコーダに、オーディオストリームをオーディオデコーダに、さらに、ＰＳＩ／ＳＩに含まれるデータを制御部１６に供給する。
ビデオデコーダは、ＴＳデコーダから入力されたビデオストリームを復号し、逆ＤＣＴ変換や動き補償制御等を行い、映像データを生成する。また、オーディオデコーダは、ＴＳデコーダから入力されたオーディオストリームを復号し、音声データを生成する。
【００２２】
入力端子部７は、複数の外部入力端子７１を備えて構成されている。図３は、テレビジョン受像機１００の装置本体１に備わる複数の外部入力端子７１を例示する図である。
テレビジョン受像機１００の装置本体１の背面部や前面部には、例えば、図３に示すように、Ｓ端子／映像端子及び音声端子から成る第１コンポジット端子７１ａ、第２コンポジット端子７１ｂ、Ｄ端子及び音声端子から成る第１Ｄ端子７１ｃ、第２Ｄ端子７１ｄ、ＨＤＭＩ端子７１ｅ等の複数の外部入力端子７１を備える入力端子部７が設けられている（図２参照）。外部機器２００は、これらの外部入力端子７１に接続ケーブルＣにより接続されることにより、装置本体１と接続されて、装置本体１に対して各種データを入力する。
【００２３】
接続検出部８は、例えば、装置本体１に備わる複数の外部入力端子７１のうちから、外部機器２００が接続された外部入力端子７１を検出する。
具体的には、接続検出部８は、入力端子部７に備わる外部入力端子７１からの信号（例えば、同期信号）の有無を検出することにより、それぞれの外部入力端子７１に外部機器２００が接続されているか否かを検出し、検出結果を制御部１６に出力する。
接続検出部８は、外部機器２００が接続された外部入力端子７１を検出することにより検出手段の一部を構成する。
【００２４】
ＡＶスイッチ部９は、入力端子部７に備わる外部入力端子７１のうちから何れかの外部入力端子７１を接続する切替処理を行うことにより、当該外部入力端子７１に接続された外部機器２００から入力されるデータを受信して、後段の映像処理部１０・音声処理部１１等に出力する。
具体的には、ユーザが、リモコン２のキー操作部２１に備わる入力切替キー２１ｂを押下操作すると、当該入力切替キー２１ｂに対応する入力操作信号が制御部１６に出力される。すると、当該入力操作信号に基づく制御信号が制御部１６からＡＶスイッチ部９に対して出力される。ＡＶスイッチ部９は、入力切替キー２１ｂのキー操作に対応する制御部１６からの制御信号に基づいて、入力切替キー２１ｂが押下操作されるたびに、入力端子部７に備わる外部入力端子７１のうちから、接続する外部入力端子７１を順に切り替える。
具体的に、本実施形態では、入力切替キー２１ｂが押下操作されると、外部入力端子７１ａ〜７１ｅの順に切り替えられるように初期設定（デフォルト）されている。
また、ＡＶスイッチ部９は、入力端子部７に備わる複数の外部入力端子７１のうち一番目の外部入力端子７１から最後の順番の外部入力端子７１まで順に切り替えて一巡した後に、入力切替キー２１ｂのキー操作が行われると、再び、チューナ４ａ〜４ｃからの入力に切り替えるように構成されている。
【００２５】
映像処理部１０は、ＡＶスイッチ部９から入力された映像データに対して、Ｄ／Ａ変換等の各種処理を施し、映像信号を生成するとともに、生成した映像信号を映像表示部１３に出力する。
音声処理部１１は、ＡＶスイッチ部９から入力された音声データに対してＤ／Ａ変換、増幅処理等の各種処理を行い、音声信号を生成するとともに、生成した音声信号を音声出力部１４に出力する。
【００２６】
ＯＳＤ回路１２は、映像表示部１３に出力される映像データに対して、後述するメモリ部１６２等に格納された図示しないＯＳＤデータを合成する処理を行う。
【００２７】
映像表示部１３は、例えば、ＬＣＤ（Liquid Crystal Display）等のディスプレイ１３ａを備えており、映像処理部１０から入力された映像信号に基づく映像をディスプレイ１３ａに表示させる。すなわち、映像表示部１３は、受信手段たるアンテナ３ａ〜３ｃ及びチューナ４ａ〜４ｃが受信した放送信号に基づく映像を表示する本発明の表示手段として機能する。
音声出力部１４は、例えば、スピーカ１４ａ等を備え、音声処理部１１から入力された音声信号に基づく音声をスピーカ１４ａにより出力させる。
【００２８】
リモコン信号受光部１５は、リモコン２に備わる各種キーの押下操作により出力された入力操作信号を受信して、増幅、検波、誤り訂正等の処理を行い、当該入力操作信号をＣＰＵ１６１に出力する。
【００２９】
計時部１７は、例えば、制御部１６から入力される制御信号に従って、所与の計時処理を行う。この計時部１７は、各外部入力端子７１ａ〜７１ｅを介して映像信号が入力された時間を、各外部入力端子７１ａ〜７１ｅ毎に個別に累積して計測する本発明の計測手段として機能する。
【００３０】
制御部１６は、ＣＰＵ（Central Processing Unit）１６１、メモリ部１６２、ＲＯＭ（Read Only Memory）１６３等を備えて構成されている。
【００３１】
ＣＰＵ１６１は、装置本体１の各部から入力された入力信号や、リモコン２等のキー操作部２１における各種キーの押下操作によってリモコン信号受光部１５を介して入力された入力操作信号等に応じて、ＲＯＭ１６３に格納された各種プログラムを実行するとともに、実行にかかるプログラムに基づいて装置本体１の各部に出力信号を出力することにより、テレビジョン受像機１００の動作全般を統括制御する。
【００３２】
メモリ部１６２は、例えば、ＲＡＭ（Random Access Memory）等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００３３】
また、メモリ部１６２は、ＥＰＲＯＭ（Erasable Programmable ROM）等の不揮発性メモリからなるデータエリア１６２２を備えている。データエリア１６２２は、例えば、順番格納メモリ１６２２ａ、設定データ１６２２ｂを備えている。
具体的には、順番格納メモリ１６２２ａは、後述する順番記憶プログラム１６３ｂの実行において、入力端子部７に備わる複数の外部入力端子７１の中で外部入力を行う外部入力端子７１として選択された外部入力端子７１を、選択されていた累積時間が長い順番に、予め登録されているユーザごとに対応付けて記憶する。これにより、当該順番格納メモリ１６２２ａは、計時部１７により計測された各外部入力端子７１ごとの累積時間を、指紋認識部２２により識別された各ユーザごとに記憶する本発明の記憶手段の一部を構成する。
【００３４】
ここで、「外部入力を行う外部入力端子として選択される」とは、ある外部入力端子７１に接続が切り替えられた後に、入力切替キー２１ｂのキー操作が所定時間の間行われなかった場合を言い、入力切替キー２１ｂのキー操作により複数の外部入力端子７１を順次切り替えていく途中で、一時的に選択された場合は除かれるものとする。
【００３５】
設定データ１６２２ｂは、後述する切替選択プログラム１６３ｃの実行において、第１切替プログラム１６３ｄの実行による切替制御と、第２切替プログラム１６３ｅの実行による切替制御の何れが、ユーザにより選択されたかを示すデータである。ユーザによりリモコン２に備わる入力切替キー２１ｂのキー操作が行われると、当該設定データ１６２２ｂとして選択された切替制御に基づいて、第１切替プログラム１６３ｄ又は第２切替プログラム１６３ｅが実行されることとなる。
【００３６】
ＲＯＭ１６３は、例えば、不揮発性メモリからなるプログラム格納エリアを有している。具体的に、ＲＯＭ１６３には、検出プログラム１６３ａ、順番記憶プログラム１６３ｂ、切替選択プログラム１６３ｃ、第１切替プログラム１６３ｄ、第２切替プログラム１６３ｅ、削除プログラム１６３ｆ等が格納されている。
【００３７】
検出プログラム１６３ａは、例えば、ＣＰＵ１６１に、複数の外部入力端子７１のうちから、外部機器２００が接続された外部入力端子７１を検出する機能を実現させるためのプログラムである。
具体的には、ユーザによる、リモコン２等のキー操作部２１に備わる入力切替キー２１ｂのキー操作により、外部入力を行う外部入力端子７１を選択するための入力操作信号がリモコン信号受光部１５を介して制御部１６に入力されると、ＣＰＵ１６１は、接続検出部８に制御信号を出力することにより、接続検出部８に、入力端子部７における複数の外部入力端子７１のうちから、外部機器２００が接続された外部入力端子７１を検出させる。ＣＰＵ１６１は、接続検出部８により検出された外部機器２００が接続された外部入力端子７１に関するデータを、ワークエリア１６２１等の所定の領域に一時的に記憶し、後述する第１切替プログラム１６３ｄ又は第２切替プログラム１６３ｅの実行による切替制御に際して参照する。
ＣＰＵ１６１は、かかる検出プログラム１６３ａを実行することにより、接続検出部８とともに検出手段として機能する。
【００３８】
順番記憶プログラム１６３ｂは、例えば、ＣＰＵ１６１に、外部入力端子７１が、複数の外部入力端子７１の中で外部入力を行う外部入力端子７１として選択されていた時間の合計（累積時間）が長い順に随時並べ替えて記憶する機能を実現させるためのプログラムである。
具体的には、ＣＰＵ１６１は、入力端子部７に備わる外部入力端子７１が外部入力を行う外部入力端子７１として選択されていた時間を、計時部１７からの出力信号に基づいて計測し、その累積時間が長い順に並べ替えて、メモリ部１６２のデータエリア１６２２に備わる順番格納メモリ１６２２ａ内に記憶させる。
ここで、図４は、メモリ部１６２のデータエリア１６２２に格納される順番格納メモリ１６２２ａを例示する図である。図４に示すように、メモリ部１６２のデータエリア１６２２には、各ユーザごとに、使用する頻度が高い外部入力端子７１すなわち映像表示部１３に表示する映像データや音声データを入力する外部機器２００として選択されていた時間の合計が長い順に、各外部入力端子７１ａ〜７１ｆが随時並べ替えて記憶される。
より具体的には、例えば、図４に例示するユーザＡについて、過去に選択されていた時間の合計（累積時間）が、第２コンポジット端子７１ｂ（例えば、２５０分）→第１Ｄ端子７１ｃ（例えば、１００分）→ＨＤＭＩ端子７１ｅ（例えば、５０分）→第１コンポジット端子７１ａ（例えば、１０分）→第２Ｄ端子７１ｄ（例えば、０分）等の順に長い場合、当該記載された順に優先順位が付けられて、時間情報とともに順番格納メモリ１６２２ａに記憶される。
ＣＰＵ１６１は、例えば、後述する第１切替プログラム１６３ｄ又は第２切替プログラム１６３ｅを実行することにより、何れかの外部入力端子７１が外部入力を行う端子として選択され、当該外部入力端子７１に接続された外部機器２００から装置本体１に各種データ入力処理が行われると、計時部１７からの計時信号に基づき、当該外部入力端子７１がＡＶスイッチ部９により切替接続され続けている時間を計測し、その時間を予め記憶されている過去の累積時間に合算した時間を、現在使用中のユーザに対応付けて順番格納メモリ１６２２ａに記憶させる処理を行う。さらに、ＣＰＵ１６１は、これに適合するよう、順番格納メモリ１６２２ａ内における現在使用中のユーザについて各外部入力端子７１の順番を更新する。
ＣＰＵ１６１は、かかる順番記憶プログラム１６３ｂを実行することにより、順番格納メモリ１６２２ａとともに本発明における記憶手段として機能する。
【００３９】
切替選択プログラム１６３ｃは、例えば、ＣＰＵ１６１に、第１切替プログラム１６３ｄの実行による切り替え制御と、第２切替プログラム１６３ｅの実行による切り替え制御の何れかを、ユーザに選択させるための機能を実現させるためのプログラムである。
具体的には、ユーザによるリモコン２等に備わるキー操作部２１におけるメニューキー２１ａ等のキー操作により、映像表示部１３に切替順序選択画面を表示させるための入力操作信号が、リモコン信号受光部１５を介して制御部１６に入力されると、ＣＰＵ１６１は、メモリ部１６２等の所定の領域に記憶された切替順序選択画面用のＯＳＤデータ（図示省略）を読み出し、読み出したＯＳＤデータを、ＯＳＤ回路１２により映像表示部１３に出力される映像データに付加して映像表示部１３のディスプレイ１３ａに切替順序選択画面を表示させる。
【００４０】
図５は、映像表示部１３のディスプレイ１３ａに表示される切替順序選択画面を例示する図である。図５に示すように、切替順序選択画面には、キー操作部２１における入力切替キー２１ｂのキー操作に基づいて、第１切替プログラム１６３ｄによる切替制御を行うモード１と、第２切替プログラム１６３ｅによる切替制御を行うモード２の、何れかのモードをユーザに選択させるようになっている。このような切替順序選択画面において、キー操作部２１のキー操作によりモード１又はモード２がユーザにより選択されると、選択されたモードが、メモリ部１６２のデータエリア１６２２に設定データ１６２２ｂとして記憶されることとなる。
ＣＰＵ１６１は、かかる切替選択プログラム１６３ｃを実行することにより、切替選択手段として機能する。
【００４１】
第１切替プログラム１６３ｄは、例えば、ＣＰＵ１６１に、入力切替キー２１ｂのキー操作の度に、順番記憶プログラム１６３ｂの実行により記憶された順番で、検出プログラム１６３ａの実行により外部機器２００が接続されていると検出された外部入力端子７１のうちから、選択される外部入力端子７１を順に切り替える機能を実現させるためのプログラムである。
具体的には、前述の切替選択プログラム１６３ｃの実行により第１切替プログラム１６３ｄによる切替制御を行うモード１が選択され、当該モード１が設定データ１６２２ｂとして記憶されている場合に、ユーザにより、リモコン２等のキー操作部２１に備わる入力切替キー２１ｂのキー操作が行われて、入力切替キー２１ｂに対応する入力操作信号が制御部１６に入力されると、ＣＰＵ１６１は、入力切替キー２１ｂのキー操作の度に、ＡＶスイッチ部９に切替制御信号を出力することにより、接続検出部８において外部機器２００が接続されていると検出された外部入力端子７１のうちから、順番格納メモリ１６２２ａに記憶された順番（すなわち、外部入力を行う外部入力端子７１として選択された時間の累積時間が最も長い外部入力端子７１を最も優先順位が高いものとし、以下、累積時間が長い順に優先順位を付けた順番）で、入力端子部７に備わる複数の外部入力端子７１の接続を順に切り替えさせる。また、ＣＰＵ１６１は、外部入力端子７１の切替処理に際して、映像表示部１３のディスプレイ１３ａに、ＡＶスイッチ部９により切替接続された外部入力端子７１を示すＯＳＤ表示を行う。
ＣＰＵ１６１は、かかる第１切替プログラム１６３ｄを実行することにより、第１切替手段（切り替え制御手段）として機能する。
【００４２】
第２切替プログラム１６３ｅは、例えば、ＣＰＵ１６１に、入力切替キー２１ｂのキー操作の度に、順番記憶プログラム１６３ｂの実行により記憶された累積時間の最も長い外部入力端子７１を一番目に表示させ、その後、予め設定されている（デフォルトの）順番で各外部入力端子７１を切り替える機能を実現させるためのプログラムである。
具体的には、前述の切替選択プログラム１６３ｃの実行により第２切替プログラム１６３ｅによる切替制御を行うモード２が選択され、当該モード２が設定データ１６２２ｂとして記憶されている場合に、ユーザにより、リモコン２等のキー操作部２１に備わる入力切替キー２１ｂのキー操作が行われて、入力切替キー２１ｂに対応する入力操作信号が制御部１６に入力されると、ＣＰＵ１６１は、入力切替キー２１ｂのキー操作の度に、ＡＶスイッチ部９に切替制御信号を出力することにより、接続検出部８において外部機器２００が接続されていると検出された外部入力端子７１のうちから、順番格納メモリ１６２２ａに記憶された優先順位が最も高い外部入力端子７１に接続を切り替え、その後は、入力切替キー２１ｂのキー操作の度に、デフォルトとして上記外部入力端子７１の次に該当する外部入力端子７１から順番に、入力端子部７に備わる複数の外部入力端子７１の接続を順に切り替えさせる。また、ＣＰＵ１６１は、外部入力端子７１の切替処理に際して、映像表示部１３のディスプレイ１３ａに、ＡＶスイッチ部９により切替接続された外部入力端子７１を示すＯＳＤ表示を行う。
【００４３】
ここで、第１切替プログラム１６３ｄ及び第２切替プログラム１６３ｅの実行における、ＣＰＵ１６１の外部入力端子７１の切替処理について、より具体的に説明する。
【００４４】
ユーザが、リモコン２等のキー操作部２１に備わる入力切替キー２１ｂをキー操作し、当該入力切替キー２１ｂに対応する入力操作信号が制御部１６に入力されると、ＣＰＵ１６１は、初めに、入力端子部７に備わる複数の外部入力端子７１のうち、外部機器２００が接続された外部入力端子７１を接続検出部８により検出させ、検出結果をワークエリア１６２１等に一時的に記憶する。次に、ＣＰＵ１６１は、データエリア１６２２に記憶された設定データ１６２２ｂを参照して、第１切替プログラム１６３ｄによる切替制御を行うモード１と、第２切替プログラム１６３ｅによる切替制御を行うモード２の何れのモードがユーザにより選択されているかを読み出す。
【００４５】
ユーザによりモード１が選択されている場合、ＣＰＵ１６１は、順番格納メモリ１６２２ａを参照し、この順番格納メモリ１６２２ａに記憶されている順番を読み出す。そして、ユーザによる入力切替キー２１ｂのキー操作の度に、接続検出部８において外部機器２００が接続された外部入力端子７１として検出された外部入力端子７１のうちから、順番格納メモリ１６２２ａに記憶された順番（すなわち、外部入力を行う外部入力端子７１として選択された累積時間が長い順番）で、ＡＶスイッチ部９に切替制御信号を出力して、接続する外部入力端子７１を順に切り替えさせる。また、ＣＰＵ１６１は、ＡＶスイッチ部９において切替接続されている外部入力端子７１を示すＯＳＤ表示を、映像表示部１３のディスプレイ１３ａに行う。
図６は、第１切替プログラム１６３ｄの実行による外部入力端子７１の切替処理に際して、ＡＶスイッチ部９により切替接続された外部入力端子７１と連動して、映像表示部１３のディスプレイ１３ａに表示されるＯＳＤ表示を例示する図である。例えば、接続検出部８により検出された外部機器２００が接続された外部入力端子７１が第２コンポジット端子７１ｂ、第１Ｄ端子７１ｃ、第２Ｄ端子７１ｄ、ＨＤＭＩ端子７１ｅであり、且つ、図４に例示する順番格納メモリ１６２２ａが記憶されている場合、ユーザにより入力切替キー２１ｂがキー操作される度に、ＣＰＵ１６１は、「第２コンポジット端子７１ｂ（コンポジット入力２）→第１Ｄ端子７１ｃ（Ｄ入力１）→ＨＤＭＩ端子７１ｅ（ＨＤＭＩ入力）→第２Ｄ端子７１ｄ（Ｄ入力２）→チューナ４ａ〜４ｃからの入力（ＲＦ入力）→第２コンポジット端子７１ｂ（コンポジット入力２）→・・・」の順番で、ＡＶスイッチ部９において接続される外部入力端子７１を順に切り替えていく。また、ＣＰＵ１６１は、切替接続と連動して、ＡＶスイッチ部９により切替接続された外部入力端子７１を、図６に示すように、ディスプレイ１３ａにＯＳＤ表示する。
【００４６】
また、ユーザによりモード２が選択されている場合、ＣＰＵ１６１は、順番格納メモリ１６２２ａを参照し、この順番格納メモリ１６２２ａに記憶されている各外部入力端子７１の優先順位を読み出す。そして、ユーザによる入力切替キー２１ｂのキー操作の度に、接続検出部８において外部機器２００が接続された外部入力端子７１として検出された外部入力端子７１のうちから、順番格納メモリ１６２２ａに記憶された累積時間の最も長い（優先順位が最も高い）外部入力端子７１を一番目に、その後、デフォルトの順番（例えば、第１コンポジット端子７１ａ→第２コンポジット端子７１ｂ→第１Ｄ端子７１ｃ→第２Ｄ端子７１ｄ→ＨＤＭＩ端子７１ｅ→ＲＦ→第１コンポジット端子７１ａ→・・・）で、ＡＶスイッチ部９に切替制御信号を出力して、接続する外部入力端子７１を順に切り替えさせる。また、ＣＰＵ１６１は、ＡＶスイッチ部９において切替接続されている外部入力端子７１を示すＯＳＤ表示を、映像表示部１３のディスプレイ１３ａに行う。
図７は、第２切替プログラム１６３ｅの実行による外部入力端子７１の切替処理に際して、ＡＶスイッチ部９により切替接続された外部入力端子７１と連動して、映像表示部１３のディスプレイ１３ａに表示されるＯＳＤ表示を例示する図である。例えば、接続検出部８により検出された外部機器２００が接続された外部入力端子７１が第１コンポジット端子７１ａ、第２コンポジット端子７１ｂ、第１Ｄ端子７１ｃ、第２Ｄ端子７１ｄであり、且つ、図４に例示する順番格納メモリ１６２２ａが記憶されている場合、ユーザにより入力切替キー２１ｂがキー操作される度に、ＣＰＵ１６１は、「第２コンポジット端子７１ｂ→第１Ｄ端子７１ｃ→第２Ｄ端子７１ｄ→ＲＦ（チューナ４ａ〜４ｃからの入力）→第１コンポジット端子７１ａ→第２コンポジット端子７１ｃ→・・・」の順番で、ＡＶスイッチ部９において接続される外部入力端子７１を順に切り替えていく。また、ＣＰＵ１６１は、切替接続と連動して、ＡＶスイッチ部９により切替接続された外部入力端子７１を、図７に示すように、ディスプレイ１３ａにＯＳＤ表示する。
【００４７】
削除プログラム１６３ｆは、ＣＰＵ１６１に、メモリ部１６２のデータエリア１６２２に記憶されている各ユーザごとの各外部入力端子７１の累積時間に関する時間データのうち、順番格納メモリ１６２２ａに格納されて所定期間が経過した時間データを削除させるためのプログラムである。
具体的に、ＣＰＵ１６１は、各外部入力端子７１ごとに順番格納メモリ１６２２ａに格納された時間データを、予め設定した所定期間（例えば、３０日等）が経過した時点で削除プログラム１６３ｆを実行し、該当するデータを削除して当該データに対応する時間を累積時間から差し引く処理を実行する。そして、累積時間（優先順位）の更新する処理を実行する。
ＣＰＵ１６１は、かかる削除プログラム１６３ｆを実行することにより、削除手段として機能する。
【００４８】
次に、図８に示すフローチャートを参照しながら、ＣＰＵ１６１により実行される外部入力端子７１の並び替え処理について説明する。
まず初めに、テレビジョン受像機１００を使用するユーザが指紋認識部２２に指紋を認識させると、指紋認識部２２から認識信号が出力され、ＣＰＵ１６１により現在使用中のユーザ情報がメモリ１６２に一時的に記憶される。これにより、ユーザ（例えば、Ａとする）が選択される（ステップＳ１）。
次に、ユーザＡが、キー操作部２１において入力切替キー２１ｂを操作することにより、例えば、外部入力Ｘが選択されている場合（ステップＳ２）、ＣＰＵ１６１は、計時部１７からの計時信号に基づき、ユーザＡの外部入力Ｘについての時間情報をカウントアップ（計測）し（ステップＳ３）、順番格納メモリ１６２２ａに記憶させる処理を実行する（ステップＳ４）。
その後、ＣＰＵ１６１は、所定時間（例えば、３０日）経過したか否かを判断し（ステップＳ５）、経過した場合（ステップＳ５；Ｙｅｓ）は所定期間経過したデータを削除する処理を実行する（ステップＳ６）。
【００４９】
次に、図９に示すフローチャートを参照しながら、モード２を選択した場合にＣＰＵ１６１により実行される外部入力端子７１の切替処理について説明する。
【００５０】
まず初めに、テレビジョン受像機１００を使用するユーザが指紋認識部２２に指紋を認識させると、指紋認識部２２から認識信号が出力され、ＣＰＵ１６１により現在使用中のユーザ情報がメモリ１６２に一時的に記憶される。これにより、ユーザ（例えば、Ｘとする）が選択される（ステップＳ１１）。
次に、ＣＰＵ１６１は、メモリ部１６２のデータエリア１６２２内に格納された順番格納メモリ１６２２ａ内を参照することにより、ステップＳ１１において認識されたユーザＸに関する外部入力時間情報の中から、過去に選択された外部入力端子７１のうちで累積時間が最も長い（すなわち、優先順位の最も高い）、ｎ＝１に該当する外部入力端子７１を優先外部入力とする（ステップＳ１２）。
次に、ＣＰＵ１６１は、リモコン２の入力切替キー２１ｂが操作されたか否かを判断し（ステップＳ１３）、当該キー操作に対応する入力操作信号が制御部１６に入力されると（ステップＳ１３；Ｙｅｓ）、ＣＰＵ１６１は、ＡＶスイッチ部９に切替制御信号を出力して累積時間が最も長い外部入力端子７１に接続を切り替える（ステップＳ１４）。
次いで、ＣＰＵ１６１は、ｎ＝ｎ＋１とした後（ステップＳ１５）、例えば、外部入力端子が５つの場合には加算された後の数値ｎが、５を超えたか否かを判断する（ステップＳ１６）。そして、超えた場合（ステップＳ１６；Ｙｅｓ）はｎ＝１として（ステップＳ１７）優先順位の最も高い外部入力端子に再度切り替える処理を行う。
【００５１】
以上説明した本実施形態に係るテレビジョン受像機１００によれば、指紋認識部２２を有することにより、テレビジョン受像機１００を使用するユーザを個別に識別することができる。また、計時部１７により、各外部入力端子７１を介して映像信号が入力された時間を、各外部入力端子７１毎に個別に累積して計測することができる。そして、計時部１７により計測された各外部入力端子７１ごとの累積時間を、指紋認識部２２により識別された各ユーザごとに順番格納メモリ１６２２ａに記憶させることができる。
【００５２】
さらに、第１切替えプログラム１６３ｄを実行するＣＰＵ１６１により、テレビジョン受像機１００を使用中のユーザが入力切替キー２１ｂを操作する度に、順番格納メモリ１６２２ａに記憶された当該ユーザに対応する各外部入力端子７１ごとの累積時間に基づき累積時間の最も長い外部入力端子７１から順番に映像信号が入力されるように切り替えてディスプレイ１３ａに表示させることができる。従って、ディスプレイ１３ａの表示を、各ユーザが所望する外部入力端子７１からの表示に容易に切り替えることができ、当該切り替える際の操作性の向上を図ることができる。これにより、ディスプレイ１３ａの表示を各ユーザが所望する外部入力端子７１に切り替えるまでに、入力切替キー２１ｂを操作する回数を低減することができる。従って、各ユーザはストレスを感じることなくディスプレイ１３ａの表示を自らが所望する外部入力端子７１からの表示に容易に切り替えることができる。
【００５３】
さらに、第２切替プログラム１６３ｅを実行するＣＰＵ１６１により、テレビジョン受像機１００を使用中のユーザが入力切替キー２１ｂを操作した際に、順番格納メモリ１６２２ａに記憶された当該ユーザに対応する各外部入力端子７１ごとの累積時間に基づき累積時間の最も長い外部入力端子７１からの映像信号が入力されるように切り替えてディスプレイ１３ａに表示させることができる。
【００５４】
また、削除プログラム１６３ｆを実行するＣＰＵ１６１により、所定期間経過後のデータを削除することができるため、入力切替キー２１ｂが操作された際に、現在使用中のユーザが最近好む最新の外部入力端子７１からの接続に優先的に切り替えて表示させることができる。従って、より一層操作性の向上を図ることができる。
【００５５】
なお、本発明は、発明の趣旨を逸脱しない範囲において種々の改良並びに設計の変更を行っても良い。
例えば、本実施形態では、ユーザを識別するための識別手段として、リモコン２に指紋認識部２２を設ける構成としたが、例えば、装置本体１又はリモコン２に複数のユーザ選択用ボタンを設け、使用するユーザごとに異なるユーザ選択用ボタンを登録し、使用時にはまず、ユーザが自分に該当するユーザ選択用ボタンを押下してからテレビジョン受像機１を使用する構成としてもよい。その際、ユーザ選択用ボタンを一つとし、押下される度に登録されたユーザを切り替える構成としてもよい。また、その際、ＯＳＤ表示されるメニュー画面において選択するようにしてもよい。
また、識別手段は指紋認識部２２に限定されず、その他の生体認証手段、例えば、掌形、網膜、虹彩、顔、血管（静脈）、音声（声紋）等を認識することで、ユーザを識別するようにしてもよい。
また、削除プログラム１６３ｆを実行するＣＰＵ１６１により、順番格納メモリ１６２２ａに格納された時間情報が削除されるまでの時間（所定期間）は、３０日に限定されるものではなく、所望に設定することができることは言うまでもない。また、この所定期間を、メニュー画面等においてユーザが所望に設定できるようにしてもよい。
また、順番格納メモリ１６２２ａ内において、各ユーザごとに選択された累積時間が長い外部入力端子７１から順に並び替えて記憶する処理は、現在使用中のユーザが異なるユーザに変更した場合のみならず、例えば、同一のユーザが使用する場合であっても、テレビジョン受像機１００の電源をＯＮ→ＯＦＦ→ＯＮとした場合にも実行される。
【図面の簡単な説明】
【００５６】
【図１】本実施形態におけるテレビジョン受像機の全体構成を例示する図である。
【図２】本実施形態におけるテレビジョン受像機の要部構成を示すブロック図である。
【図３】テレビジョン受像機の装置本体に備わる複数の外部入力端子を例示する図である。
【図４】メモリ部のデータエリアに格納される順番格納メモリを例示する図である。
【図５】映像表示部のディスプレイに表示される切替順序選択画面を例示する図である。
【図６】第１切替プログラムの実行による外部入力端子の切替処理に際して、映像表示部のディスプレイに表示されるＯＳＤ表示を例示する図である。
【図７】第２切替プログラムの実行による外部入力端子の切替処理に際して、映像表示部のディスプレイに表示されるＯＳＤ表示を例示する図である。
【図８】ＣＰＵにより実行される外部入力端子の並び替え処理を示すフローチャートである。
【図９】ＣＰＵにより実行される外部入力端子の切替処理を示すフローチャートである。
【符号の説明】
【００５７】
１００      テレビジョン受像機
２          リモコン（遠隔操作手段）
１７        計時部（計測手段）
２１        キー操作部
２１ｂ      入力切替キー（切替入力手段）
２２        指紋認識部（識別手段）
７１        外部入力端子
７１ａ      第１コンポジット端子（外部入力端子）
７１ｂ      第２コンポジット端子（外部入力端子）
７１ｃ      第１Ｄ端子（外部入力端子）
７１ｄ      第２Ｄ端子（外部入力端子）
７１ｅ      ＨＤＭＩ端子（外部入力端子）
８          接続検出部（検出手段）
９          ＡＶスイッチ部（切り替え制御手段、第１切替手段、第２切替手段）
１６１      ＣＰＵ（検出手段、順番記憶手段、回数記憶手段、切り替え制御手段、第１切替手段、第２切替手段、切替選択手段）
１６２２ａ  順番格納メモリ（記憶手段）
１６２２ｂ  設定データ
１６３ａ    検出プログラム（検出手段）
１６３ｂ    順番記憶プログラム（順番記憶手段）
１６３ｃ    切替選択プログラム（切替選択手段）
１６３ｄ    第１切替プログラム（第１切替手段、切替手段）
１６３ｅ    第２切替プログラム（第２切替手段）
１６３ｆ    削除プログラム（削除手段）
２００      外部機器
【図１】
2008311914.tif 000003
【図２】
2008311914.tif 000004
【図３】
2008311914.tif 000005
【図４】
2008311914.tif 000006
【図５】
2008311914.tif 000007
【図６】
2008311914.tif 000008
【図７】
2008311914.tif 000009
【図８】
2008311914.tif 000010
【図９】
2008311914.tif 000011